(57)【要約】  動作評価装置１０は、対象となるヒトの動作を検出する、動作検出部１１と、検出された動作が、予め設定された特定動作に合致しているかどうかを判定する、動作評価部１２と、動作評価部１２によって、特定動作に合致していると判定された場合に、特定動作に予め関連付けられているヒトの部位を特定し、画面上に表示されたヒト又はヒトを表すオブジェクトにおける、特定した部位に相当する部分に、視覚表現を付加する、視覚表現付加部１３と、を備えている。
2016140129.tif 000002
【特許請求の範囲】
【請求項１】
対象となるヒトの動作を検出する、動作検出部と、
検出された動作が、予め設定された特定動作に合致しているかどうかを判定する、動作評価部と、
前記動作評価部によって、前記特定動作に合致していると判定された場合に、画面上に表示された前記ヒト又は前記ヒトを表すオブジェクトにおける、前記特定動作に予め関連付けられている部分に、視覚表現を付加する、視覚表現付加部と、
を備えている、ことを特徴とする動作評価装置。
【請求項２】
仮想空間を構築する、仮想空間構築部を更に備え、
前記仮想空間構築部は、前記ヒトを表す前記オブジェクトを前記仮想空間内に作成し、前記動作検出部によって検出された動作に合せて、前記オブジェクトを動作させ、
前記視覚表現付加部は、画面上に表示された前記ヒトを表すオブジェクトにおける、前記特定動作に予め関連付けられている部分に、前記視覚表現を付加する、
請求項１に記載の動作評価装置。
【請求項３】
前記視覚表現付加部が、前記視覚表現として、ドットの集合を付加する、
請求項１または２に記載の動作評価装置。
【請求項４】
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を有する、ことを特徴とする動作評価方法。
【請求項５】
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を更に有し、
前記（ｃ）のステップにおいて、画面上に表示された前記ヒトを表すオブジェクトにおける、前記特定動作に予め関連付けられている部分に、前記視覚表現を付加する、
請求項４に記載の動作評価方法。
【請求項６】
前記（ｃ）のステップにおいて、前記視覚表現として、ドットの集合を付加する、
請求項４または５に記載の動作評価方法。
【請求項７】
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる命令を含む、プログラムを記録しているコンピュータ読み取り可能な記録媒体。
【請求項８】
前記プログラムが、前記コンピュータに、
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を実行させる命令を更に含み、
前記（ｃ）のステップにおいて、画面上に表示された前記ヒトを表すオブジェクトにおける、前記特定動作に予め関連付けられている部分に、前記視覚表現を付加する、
請求項７に記載のコンピュータ読み取り可能な記録媒体。
【請求項９】
前記（ｃ）のステップにおいて、前記視覚表現として、ドットの集合を付加する、
請求項７または８に記載のコンピュータ読み取り可能な記録媒体。
【発明の詳細な説明】
【技術分野】
【０００１】
本発明は、作業等を行なう際の動作を評価するための、動作評価装置、動作評価方法、及びこれらを実現するためのプログラムを記録したコンピュータ読み取り可能な記録媒体に関する。
【背景技術】
【０００２】
一般に、工場の生産ラインでは、機械の操作が分かりにくい、貼り紙の意味が分かりにくい、不必要な情報が多い、必要な情報が不足している、無駄な作業を作業者に強いる、といった問題点を排除して、作業の効率化を図ることが目的とされている。これは、作業の効率化の実現により、作業者の身体的な負担が軽減され、結果的に、不良品の発生が抑制されるからである。【０００３】
また、上述の目的の達成は、作業者が自発的に操作方法をベテランの作業者に聞いたり、作業者がマニュアルを熟読したり、といった作業者自身による対応でも可能と考えられるが、これらの対応だけでは、目的の達成は不十分である。これは、作業者自身が気づくことができる問題点よりも、作業者自身が気づくことができない問題点、例えば、ヒヤリハット、勘違いによるミス、使用して初めて分かる問題点の方が、潜在的で、目的達成の大きな阻害要因になることが多いからである。【０００４】
このため、上述の目的の達成には、作業者自身が気づくことができない問題点を解消することが重要となる。そして、このような問題点を解消する手法の１つとして、コンピュータ上で実行する作業シミュレータが挙げられる（例えば、非特許文献１参照。）。【０００５】
具体的には、非特許文献１は、作業シミュレータを開示している。非特許文献１に開示された作業シミュレータは、製品の三次元データと、工場の２次元レイアウトデータと、組立順序等の情報とから、仮想空間上に、生産ラインを生成する。また、非特許文献１に開示された作業シミュレータは、各種指標を計算し、これを画面上に表示する。【０００６】
また、指標としては、作業者が手の届く範囲で部品を取ることができるかどうかを表す指標、その範囲内で作業者が組立作業を行なうことができるかどうかを表す指標、必要な設備や部品棚が配置できているかどうかを表す指標が挙げられる。【０００７】
従って、非特許文献１に開示された作業シミュレータによれば、管理者は、各種指標を確認することで、作業者の動きを把握することができるので、作業者自身が気づくことができない問題点を解消することができると考えられる。
【先行技術文献】
【非特許文献】
【０００８】
【非特許文献１】「仮想工程計画・生産ラインシミュレータ」、［online］、平成２７年２月１８日、富士通株式会社、［平成２７年３月１日検索］、インターネット<URL:http://www.fujitsu.com/jp/solutions/industry/manufacturing/monozukuri-total-support/products/plm-software/dmu/gp4/advantages-benefits/index.html>
【発明の概要】
【発明が解決しようとする課題】
【０００９】
しかしながら、上述の非特許文献１に開示された作業シミュレータでは、管理者は、各種指標から問題点を読み取る必要があるため、問題点を取りこぼしてしまう可能性がある。また、上述の非特許文献１に開示された作業シミュレータでは、実際の作業者の動きが仮想空間内に取り入れられている分けでは無いため、この点からも、管理者は、問題点を取りこぼしてしまう可能性がある。【００１０】
本発明の目的の一例は、上記問題を解消し、実際の動作に基づいて、動作に起因する問題点の取りこぼしを抑制し得る、動作評価装置、動作評価方法、及びコンピュータ読み取り可能な記録媒体を提供することにある。
【課題を解決するための手段】
【００１１】
上記目的を達成するため、本発明の一側面における動作評価装置は、対象となるヒトの動作を検出する、動作検出部と、
検出された動作が、予め設定された特定動作に合致しているかどうかを判定する、動作評価部と、
前記動作評価部によって、前記特定動作に合致していると判定された場合に、画面上に表示された前記ヒト又は前記ヒトを表すオブジェクトにおける、前記特定動作に予め関連付けられている部分に、視覚表現を付加する、視覚表現付加部と、
を備えている、ことを特徴とする。【００１２】
また、上記目的を達成するため、本発明の一側面における動作評価方法は、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を有する、ことを特徴とする。【００１３】
更に、上記目的を達成するため、本発明の一側面におけるコンピュータ読み取り可能な記録媒体は、
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる命令を含む、プログラムを記録していることを特徴とする。
【発明の効果】
【００１４】
以上のように、本発明によれば、実際の動作に基づいて、動作に起因する問題点の取りこぼしを抑制することができる。
【図面の簡単な説明】
【００１５】
【図１】図１は、本発明の実施の形態における動作評価装置の概略構成を示すブロック図である。
【図２】図２は、本発明の実施の形態における動作評価装置の具体的構成を示すブロック図である。
【図３】図３は、本発明の実施の形態における視覚表現の一例を示す図である。
【図４】図４は、本発明の実施の形態における動作評価装置の動作を示すフロー図である。
【図５】図５は、本発明の実施の形態における動作評価装置を実現するコンピュータの一例を示すブロック図である。
【発明を実施するための形態】
【００１６】
（実施の形態）
以下、本発明の実施の形態における、動作評価装置、動作評価方法、及びプログラムについて、図１〜図５を参照しながら説明する。
【００１７】
［装置構成］
最初に、図１を用いて、本実施の形態における動作評価装置の構成について説明する。図１は、本発明の実施の形態における動作評価装置の概略構成を示すブロック図である。図１に示すように、動作評価装置１０は、動作検出部１１と、動作評価部１２と、視覚表現付加部１３とを備えている。
【００１８】
このうち、動作検出部１１は、対象となるヒトの動作を検出する。動作評価部１２は、動作検出部１１によって検出された動作が、予め設定された特定動作に合致しているかどうかを判定する。
【００１９】
視覚表現付加部１３は、動作評価部１２によって、特定動作に合致していると判定された場合に、画面上に表示されたヒト又はヒトを表すオブジェクトにおける、特定動作に予め関連付けられている部分（以下「関連部分」と表記する。）に、視覚表現を付加する。
【００２０】
このように、動作評価装置１０は、対象となるヒトの実際の動作から、問題点の原因となる特定動作を検出すると、特定動作を示す視覚表現を表示する。このため、動作評価装置１０によれば、動作に起因する問題点の取りこぼしが抑制される。
【００２１】
ここで、図２及び図３を用いて、本実施の形態における動作評価装置の構成について更に具体的に説明する。図２は、本発明の実施の形態における動作評価装置の具体的構成を示すブロック図である。図３は、本発明の実施の形態における視覚表現の一例を示す図である。
【００２２】
まず、本実施の形態では、動作評価装置１０は、仮想空間に構築された工場の生産ラインでの作業者４０の動作を評価するために用いられる。動作評価装置１０には、作業者４０及び管理者５０が装着するＶＲ（Virtual Reality）ゴーグル２０と、作業者４０及び管理者５０の位置検出用のカメラ３０とが接続されている。
【００２３】
また、ＶＲゴーグル２０には、ＶＲゴーグル２０自体の動きを検出するモーションセンサ（図２において図示せず）と、装着者の手の位置及び動きを検出する赤外線センサ２１とが搭載されている。このうち、モーションセンサは、加速度センセ及び角速度センサを備え、ゴーグル２０自体の動きを特定する信号を出力する。赤外線センサ２１は、赤外線を出力する光源と、装着者の手で反射された赤外線を受光する撮像素子とを備え、信号として、赤外線画像を出力する。なお、ＶＲゴーグル２０及びそれに用いられるセンサは、特に限定されるものではない。本実施の形態では、将来開発される種々のＶＲゴーグル及びセンサを用いることができる。
【００２４】
そして、図２に示すように、本実施の形態における動作評価装置１０は、動作検出部１１、動作評価部１２、及び視覚表現付加部１３に加えて、仮想空間を構築する仮想空間構築部１４を備えている。仮想空間構築部１４は、ヒトを表すオブジェクトを仮想空間内に作成し、動作検出部１１によって検出された動作に合せて、オブジェクトを動作させる。
【００２５】
具体的には、図３に示すように、仮想空間構築部１４は、構築した仮想空間内に、作業者４０を表すオブジェクト（以下「作業者オブジェクト」と表記する。）４１と、生産ラインの設備を表すオブジェクト（以下「設備オブジェクト」と表記する。）４３とを作成する。また、図３においては図示していないが、仮想空間構築部１４は、仮想空間内に、管理者５０を表すオブジェクト（以下「管理者オブジェクト」と表記する。）も仮想空間内に作成する。
【００２６】
また、本実施の形態では、動作検出部１１は、ＶＲゴーグル２０に搭載されているモーションセンサからの信号と、赤外線センサ２１からの信号とに基づいて、作業者４０及び管理者５０の動作を検出する。また、動作検出部１１は、カメラ３０からの画像データに基づいて、作業者４０及び管理者５０の位置を検出する。
【００２７】
そして、動作検出部１１によって動作及び位置が検出されると、仮想空間構築部１４は、動作検出部１１で検出された作業者４０及び管理者５０の位置から、仮想空間内でのこれらの位置を特定する。また、仮想空間構築部１４は、特定した位置において、動作検出部１１で検出された動作に合せて、作業者オブジェクト４１及び管理者オブジェクトを動作させる。
【００２８】
このため、作業者４０及び管理者５０は、ＶＲゴーグルを装着することによって、動作評価装置１０が構築する仮想空間内を自由に動き回ったり、仮想空間内で動作を行なったりすることができ、あたかも、仮想空間内に存在しているように感じることができる。そして、管理者５０は、作業者オブジェクト４１が、設備オブジェクト４３を扱う様子を観察することができる。
【００２９】
また、本実施の形態では、視覚表現付加部１３は、図３に示すように、作業者オブジェクト４１の関連部分に、視覚表現として、例えば、ドットの集合４２を付加することができる。ドットの集合４２は、管理者５０からは、作業者オブジェクト４１を取り巻くモヤのように見え、半透明であるので、管理者５０は、作業者４０の動作と問題のある部位との両方を一度に確認できる。
【００３０】
ドットの集合４２は、目立つ色、例えば、赤色や青色等で着色されているのが好ましい。また、ドットの集合４２の色は、作業者オブジェクト４１の部分に応じて異なっていても良い。更に、図３の例では、ドットの集合４２の形状は、環状であるが、これに限定されるものではなく、例えば、球状であっても良い。
【００３１】
また、動作評価部１２は、上述したように、動作検出部１１によって検出された動作が、特定動作に合致しているかどうかを判定している。特定動作としては、例えば、作業者４０が作業中に上下左右前後に頭を動かすという動作が挙げられる。具体的には、作業者４０において、次の作業がわからなくなり、作業すべき箇所を探したり、特定の部品を探すために周りを見渡したりする場合である。通常、作業中は、特定の一点に視線を集め、上下左右前後に頭を動かすことは少ないことから、作業者４０がこのような動作をとる場合は、作業者４０に「迷い」が生じており、問題点が生じている可能性がある。また、この特定動作には、特定動作に関連する部分として「頭」が関連付けられる。
【００３２】
従って、作業者４０が作業中に上下左右前後に頭を動かすという動作を行なうと、動作評価部１２は、作業者４０の動作が特定の動作に一致していると判断する。これにより、視覚表現付加部１３は、作業者オブジェクト４１の頭に相当する部分の周囲に、視覚表現として、ドットの集合４２を付加する。
【００３３】
また、視覚表現付加部１３は、作業者４０の頭を動かす動作の程度に合せて、ドットの集合４２の色の濃さを変えることもできる。この場合、管理者５０は、色の濃さから、作業者４０の迷いがどの程度かを判断することができる。
【００３４】
更に、特定の動作としては、同じ作業をしている間に姿勢を変更する動作も挙げられる。作業者が、同じ作業を行なっている間に、その姿勢が徐々に変化する場合は、作業者の腰等に負担がかかり、身体に「疲れ」が生じている場合が多いので、問題点が生じている可能性がある。
【００３５】
この特定動作には、特定動作に関連する部位として「腰」が関連付けられる。従って、動作評価部１２が作業者４０の動作が特定の動作に一致していると判断すると、図３に示すように、視覚表現付加部１３は、作業者オブジェクト４１の腰に相当する部分の周囲に、視覚表現として、ドットの集合４２を付加する。
【００３６】
なお、姿勢の変化が作業者４０の「慣れ」に起因している場合は、姿勢が変化していても、作業効率が向上する可能性がある。従って、特定の動作として、同じ作業をしている間に姿勢を変更する動作を設定する場合は、動作の方向を規定するのが好ましい。
【００３７】
その他、特定の動作としては、頭の位置と手の位置との距離が設定範囲を超える動作も挙げられる。この場合、作業者４０は手が届きにくいところにあるモノを取ろうとして、背伸びをしている可能性があり、作業し難い環境であるので、問題点が生じている可能性がある。なお、この特定動作においても、関連する部位として「腰」が関連付けられる。
【００３８】
［装置動作］
次に、本実施の形態における動作評価装置の動作について図４を用いて説明する。図４は、本発明の実施の形態における動作評価装置の動作を示すフロー図である。以下の説明においては、適宜図１〜図３を参酌する。また、本実施の形態では、動作評価装置を動作させることによって、動作評価方法が実施される。よって、本実施の形態における動作評価方法の説明は、以下の動作評価装置１０の動作説明に代える。
【００３９】
図４に示すように、最初に、仮想空間構築部１４が、仮想空間を構築する（ステップＡ１）。次に、仮想空間構築部１４は、構築した仮想空間内に、作業者オブジェクト４１、設備オブジェクト４３、及び管理者オブジェクトを作成する（ステップＡ２）
【００４０】
ステップＡ１及びＡ２が実行されると、ＶＲゴーグル２０を装着した作業者４０は、仮想空間内で作業を行なうことができ、管理者５０は、作業者４０の動作を確認することができる。そして、動作検出部１１は、動作検出部１１は、ＶＲゴーグル２０に搭載されているモーションセンサからの信号と、赤外線センサ２１からの信号とに基づいて、作業者４０及び管理者５０の動作を検出する（ステップＡ３）。
【００４１】
次に、動作評価部１２は、ステップＡ３で検出された動作が、特定動作に合致しているかどうかを判定する（ステップＡ４）。ステップＡ４の判定の結果、ステップＡ３で検出された動作が、特定動作に合致していない場合は、再度ステップＡ３が実行される。一方、ステップＡ４の判定の結果、ステップＡ３で検出された動作が、特定動作に合致している場合は、ステップＡ５が実行される。
【００４２】
ステップＡ５では、視覚表現付加部１３は、作業者オブジェクト４１における関連部分に視覚表現を付加する（ステップＡ６）。例えば、特定動作が、頭の位置と手の位置との距離が設定範囲を超える動作である場合は、視覚表現付加部１３は、作業者オブジェクト４１の「腰」に相当する部分に、ドットの集合４２を付加する（図３参照）。
【００４３】
その後、動作検出部１１は、処理の終了が指示されているかどうかを判定する（ステップＡ６）。ステップＡ６の判定の結果、処理の終了が指示されていない場合は、動作検出部１１は、再度ステップＡ３を実行する。一方、ステップＡ６の判定の結果、処理の終了が指示されている場合は、動作評価装置１０における処理は終了する。
【００４４】
［実施の形態における効果］
以上のように、本実施の形態では、管理者５０は、作業者４０の特定動作を漏れなく確認することができるので、特定動作に起因する問題点の取りこぼしが抑制される。つまり、本実施の形態では、管理者４０が、生産ラインの設計についての専門家でない場合であっても、専門家と同様に、問題点に気付くことができるようになる。本実施の形態によれば、作業者４０が効率良く作業でき、且つ、作業者の身体的負担を軽減できる、生産ラインを構築できる。この結果、不良品の発生も抑制することができる。
【００４５】
また、本実施の形態では、作業者４０の特定動作の検出は、仮想空間において行なうことができるため、生産ラインの設備のモックアップを実際に作製する必要がないため、生産ラインの構築にかかるコストを低減することもできる。更に、生産ラインの変更及び改良にも、柔軟に対応することが可能となる。
【００４６】
［変形例］
図２の例では、管理者５０も、作業者４０と同様に、ＶＲゴーグル２０を装着して、仮想空間内を観察しているが、本実施の形態は、図２の例に限定されるものではない。例えば、動作評価装置１０に、一般的な表示装置が接続されているのであれば、管理者５０は、この表示装置の画面を介して、仮想空間内を観察していても良い。この態様であっても、管理者５０は、作業者オブジェクト４１に付加される視覚表現を確認することができる。
【００４７】
また、図３の例では、視覚表現としてドットの集合４２を例示しているが、本実施の形態において視覚表現は特に限定されるものではない。本実施の形態では、例えば、作業者オブジェクト４１の関連部分の色が変化する態様であっても良い。
【００４８】
更に、図２の例では、作業者４０の動作の検出は、ＶＲゴーグル２０に搭載されたモーションセンサと、それに搭載された赤外線センサ２１と、位置検出用のカメラ３０とによって行なわれているが、本実施の形態では、動作の検出の仕方は特に限定されるものではない。動作の検出は、例えば、モーションキャプチャ技術を利用して行なわれても良い。
【００４９】
［応用例］
また、本実施の形態は、動作評価装置１０が、生産ラインでの作業者４０の動作の評価に用いられる例について説明しているが、動作評価装置１０の用途はこれに限定されるものではない。例えば、動作評価装置１０は、手術室での医師及び看護師の動作の評価に用いることもできる。この場合、看護師が、無理なく、医師に適切な手術道具を渡せるかどうかの評価を行なうことが可能となる。
【００５０】
更に、動作評価装置１０は、銀行の現金自動預け払い機（ＡＴＭ）、複合機、工作機械といった各種機械のメンテナンスを行なう際のサービスマンの動作の評価に用いることもできる。
【００５１】
［プログラム］
本発明の実施の形態におけるプログラムは、コンピュータに、図４に示すステップＡ１〜Ａ６を実行させるプログラムであれば良い。このプログラムをコンピュータにインストールし、実行することによって、本実施の形態における動作評価装置１０と動作評価方法とを実現することができる。この場合、コンピュータのＣＰＵ（Central Processing Unit）は、動作検出部１１、動作評価部１２、視覚表現付加部１３、及び仮想空間構築部１４として機能し、処理を行なう。
【００５２】
ここで、本実施の形態におけるプログラムを実行することによって、動作評価装置１０を実現するコンピュータについて図５を用いて説明する。図５は、本発明の実施の形態における動作評価装置を実現するコンピュータの一例を示すブロック図である。
【００５３】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５４】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５５】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５６】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５７】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００５８】
また、上述した実施の形態の一部又は全部は、以下に記載する（付記１）〜（付記９）によって表現することができるが、以下の記載に限定されるものではない。                  
【００５９】
（付記１）
対象となるヒトの動作を検出する、動作検出部と、
検出された動作が、予め設定された特定動作に合致しているかどうかを判定する、動作評価部と、
前記動作評価部によって、前記特定動作に合致していると判定された場合に、画面上に表示された前記ヒト又は前記ヒトを表すオブジェクトにおける、前記特定動作に予め関連付けられている部分に、視覚表現を付加する、視覚表現付加部と、
を備えている、ことを特徴とする動作評価装置。
【００６０】
（付記２）
仮想空間を構築する、仮想空間構築部を更に備え、
前記仮想空間構築部は、前記ヒトを表す前記オブジェクトを前記仮想空間内に作成し、前記動作検出部によって検出された動作に合せて、前記オブジェクトを動作させ、
前記視覚表現付加部は、画面上に表示された前記ヒトを表すオブジェクトにおける、前記特定動作に予め関連付けられている部分に、前記視覚表現を付加する、
付記１に記載の動作評価装置。
【００６１】
（付記３）
前記視覚表現付加部が、前記視覚表現として、ドットの集合を付加する、
付記１に記載の動作評価装置。
【００６２】
（付記４）
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を有する、ことを特徴とする動作評価方法。
【００６３】
（付記５）
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を更に有し、
前記（ｃ）のステップにおいて、画面上に表示された前記ヒトを表すオブジェクトにおける、前記特定動作に予め関連付けられている部分に、前記視覚表現を付加する、
付記４に記載の動作評価方法。
【００６４】
（付記６）
前記（ｃ）のステップにおいて、前記視覚表現として、ドットの集合を付加する、
付記４に記載の動作評価方法。
【００６５】
（付記７）
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる命令を含む、プログラムを記録しているコンピュータ読み取り可能な記録媒体。
【００６６】
（付記８）
前記プログラムが、前記コンピュータに、
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を実行させる命令を更に含み、
前記（ｃ）のステップにおいて、画面上に表示された前記ヒトを表すオブジェクトにおける、前記特定動作に予め関連付けられている部分に、前記視覚表現を付加する、
付記７に記載のコンピュータ読み取り可能な記録媒体。
【００６７】
（付記９）
前記（ｃ）のステップにおいて、前記視覚表現として、ドットの集合を付加する、
付記７に記載のコンピュータ読み取り可能な記録媒体。
【００６８】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６９】
この出願は、２０１５年３月５日に出願された日本出願特願２０１５−４３５８３を基礎とする優先権を主張し、その開示の全てをここに取り込む。
【産業上の利用可能性】
【００７０】
以上のように、本発明によれば、実際の動作に基づいて当該動作の評価を行なうことができ、且つ、動作に起因する問題点の取りこぼしを抑制することができる。本発明は、工場の生産ラインにおける動作評価、各種機械のメンテナンスにおける動作評価、手術における動作評価等に有用である。
【符号の説明】
【００７１】
１０  動作評価装置
１１  動作検出部
１２  動作評価部
１３  視覚表現付加部
１４  仮想空間構築部
２０  ＶＲゴーグル
２１  赤外線センサ
３０  位置検出用のカメラ
４０  作業者
４１  作業者オブジェクト
４２  ドットの集合
４３  設備オブジェクト
５０  管理者
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2016140129.tif 000003
【図２】
2016140129.tif 000004
【図３】
2016140129.tif 000005
【図４】
2016140129.tif 000006
【図５】
2016140129.tif 000007
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
対象となるヒトの動作を検出する、動作検出部と、
検出された動作が、予め設定された特定動作に合致しているかどうかを判定する、動作評価部と、
前記動作評価部によって、前記特定動作に合致していると判定された場合に、画面上に表示された前記ヒト又は前記ヒトを表すオブジェクトにおける、前記特定動作に予め関連付けられている部分に、視覚表現を付加する、視覚表現付加部と、
を備えている、ことを特徴とする動作評価装置。
【請求項２】
仮想空間を構築する、仮想空間構築部を更に備え、
前記仮想空間構築部は、前記ヒトを表す前記オブジェクトを前記仮想空間内に作成し、前記動作検出部によって検出された動作に合せて、前記オブジェクトを動作させ、
前記視覚表現付加部は、画面上に表示された前記ヒトを表すオブジェクトにおける、前記特定動作に予め関連付けられている部分に、前記視覚表現を付加する、
請求項１に記載の動作評価装置。
【請求項３】
前記視覚表現付加部が、前記視覚表現として、ドットの集合を付加する、
請求項１または２に記載の動作評価装置。
【請求項４】
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を有する、ことを特徴とする動作評価方法。
【請求項５】
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を更に有し、
前記（ｃ）のステップにおいて、画面上に表示された前記ヒトを表すオブジェクトにおける、前記特定動作に予め関連付けられている部分に、前記視覚表現を付加する、
請求項４に記載の動作評価方法。
【請求項６】
前記（ｃ）のステップにおいて、前記視覚表現として、ドットの集合を付加する、
請求項４または５に記載の動作評価方法。
【請求項７】
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる、プログラム。
【請求項８】
前記コンピュータに、更に、
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を実行させ、
前記（ｃ）のステップにおいて、画面上に表示された前記ヒトを表すオブジェクトにおける、前記特定動作に予め関連付けられている部分に、前記視覚表現を付加する、
請求項７に記載のプログラム。
【請求項９】
前記（ｃ）のステップにおいて、前記視覚表現として、ドットの集合を付加する、
請求項７または８に記載のプログラム。
【手続補正３】
【補正対象書類名】明細書
【補正対象項目名】０００１
【補正方法】変更
【補正の内容】
【０００１】
本発明は、作業等を行なう際の動作を評価するための、動作評価装置、動作評価方法、及びこれらを実現するためのプログラムに関する。
【手続補正４】
【補正対象書類名】明細書
【補正対象項目名】００１０
【補正方法】変更
【補正の内容】
【００１０】
本発明の目的の一例は、上記問題を解消し、実際の動作に基づいて、動作に起因する問題点の取りこぼしを抑制し得る、動作評価装置、動作評価方法、及びプログラムを提供することにある。
【手続補正５】
【補正対象書類名】明細書
【補正対象項目名】００１３
【補正方法】変更
【補正の内容】
【００１３】
更に、上記目的を達成するため、本発明の一側面におけるプログラムは、
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる、ことを特徴とする。
【手続補正６】
【補正対象書類名】明細書
【補正対象項目名】００２３
【補正方法】変更
【補正の内容】
【００２３】
また、ＶＲゴーグル２０には、ＶＲゴーグル２０自体の動きを検出するモーションセンサ（図２において図示せず）と、装着者の手の位置及び動きを検出する赤外線センサ２１とが搭載されている。このうち、モーションセンサは、加速度センセ及び角速度センサを備え、ＶＲゴーグル２０自体の動きを特定する信号を出力する。赤外線センサ２１は、赤外線を出力する光源と、装着者の手で反射された赤外線を受光する撮像素子とを備え、信号として、赤外線画像を出力する。なお、ＶＲゴーグル２０及びそれに用いられるセンサは、特に限定されるものではない。本実施の形態では、将来開発される種々のＶＲゴーグル及びセンサを用いることができる。
【手続補正７】
【補正対象書類名】明細書
【補正対象項目名】００２６
【補正方法】変更
【補正の内容】
【００２６】
また、本実施の形態では、動作検出部１１は、ＶＲゴーグル２０に搭載されているモーションセンサからの信号と、赤外線センサ２１からの信号とに基づいて、作業者４０及び管理者５０の動作を検出する。また、動作検出部１１は、位置検出用のカメラ３０からの画像データに基づいて、作業者４０及び管理者５０の位置を検出する。
【手続補正８】
【補正対象書類名】明細書
【補正対象項目名】００６５
【補正方法】変更
【補正の内容】
【００６５】
（付記７）
コンピュータに、
（ａ）対象となるヒトの動作を検出する、ステップと、
（ｂ）前記（ａ）のステップで検出された動作が、予め設定された特定動作に合致しているかどうかを判定する、ステップと、
（ｃ）前記（ｂ）のステップによって、前記特定動作に合致していると判定された場合に、画面上に表示された前記ヒト又は前記ヒトを表すオブジェクトにおける、前記特定動作に予め関連付けられている部分に、視覚表現を付加する、ステップと、
を実行させる、プログラム。
【手続補正９】
【補正対象書類名】明細書
【補正対象項目名】００６６
【補正方法】変更
【補正の内容】
【００６６】
（付記８）
前記コンピュータに、更に、
（ｄ）仮想空間を構築する、ステップと、
（ｅ）前記ヒトを表す前記オブジェクトを前記仮想空間内に作成し、前記（ａ）のステップによって検出された動作に合せて、前記オブジェクトを動作させるステップと、
を実行させ、
前記（ｃ）のステップにおいて、画面上に表示された前記ヒトを表すオブジェクトにおける、前記特定動作に予め関連付けられている部分に、前記視覚表現を付加する、
付記７に記載のプログラム。
【手続補正１０】
【補正対象書類名】明細書
【補正対象項目名】００６７
【補正方法】変更
【補正の内容】
【００６７】
（付記９）
前記（ｃ）のステップにおいて、前記視覚表現として、ドットの集合を付加する、
付記７に記載のプログラム。
【国際調査報告】
2016140129.tif 000008
2016140129.tif 000009
2016140129.tif 000010
2016140129.tif 000011